(57)【要約】【課題】  旅行等のイベントにおいて取得した画像を、イベントの個々の参加者毎に制限して見せることができるようにする。【解決手段】  旅行の参加者がツアーコンダクターに再生を依頼した画像を、参加者毎にアクセス権を設定して記憶部１６に記憶する。飛行機の座席には参加者に専用の再生部１８が設けられており、参加者が再生部１８から画像再生の指示を行うと、再生制御部２０がその参加者がアクセス権を有する画像のみをその参加者が着席している座席の再生部１８に再生する。【選択図】          図１
2005267375.tif 000002
【特許請求の範囲】
【請求項１】
所定のイベントにおいて取得された複数の画像を、該複数の画像のそれぞれまたは該複数の画像に含まれる画像グループのそれぞれに対して該所定のイベントの参加者毎にアクセス権を設定して記憶する画像記憶手段と、
前記所定のイベントの各参加者に対応してそれぞれ設けられた、前記画像を再生する複数の再生手段と、
前記複数の再生手段のそれぞれに対応する参加者にアクセス権のある画像のみを、該アクセス権がある参加者に対応する再生手段に再生する再生制御手段とを備えたことを特徴とする画像再生装置。
【請求項２】
前記再生手段が、該再生手段に再生された画像についての注文を受け付ける手段であり、
該再生手段が受け付けた該注文の処理を行う注文処理手段をさらに備えたことを特徴とする請求項１記載の画像再生装置。
【請求項３】
所定のイベントにおいて取得された複数の画像を、該複数の画像のそれぞれまたは該複数の画像に含まれる画像グループのそれぞれに対して該所定のイベントの参加者毎にアクセス権を設定し、
前記所定のイベントの各参加者に対応してそれぞれ設けられた、前記画像を再生する複数の再生手段のそれぞれに対応する参加者にアクセス権のある画像のみを、該アクセス権がある参加者に対応する再生手段に再生することを特徴とする画像再生方法。
【請求項４】
所定のイベントにおいて取得された複数の画像を、該複数の画像のそれぞれまたは該複数の画像に含まれる画像グループのそれぞれに対して該所定のイベントの参加者毎にアクセス権を設定する手順と、
前記所定のイベントの各参加者に対応してそれぞれ設けられた、前記画像を再生する複数の再生手段のそれぞれに対応する参加者にアクセス権のある画像のみを、該アクセス権がある参加者に対応する再生手段に再生する手順とを有することを特徴とする画像再生方法をコンピュータに実行させるためのプログラム。
【発明の詳細な説明】
【技術分野】
【０００１】
本発明は、旅行等の所定のイベントにおいて取得された複数の画像を再生する画像再生装置および方法並びに画像再生方法をコンピュータに実行させるためのプログラムに関するものである。
【背景技術】
【０００２】
旅行の参加者が旅行中に自身のカメラを用いて撮影した画像をプリント注文したり、観光地に訪れた際にプロカメラマンが参加者を撮影することにより得たプリントを購入することにより、旅行についてのプリントを取得することが行われている。また、プロカメラマンが撮影した旅行の参加者の画像について、画像の確認を行った後に注文を受け付けてプリントを販売するシステムも提案されている（特許文献１参照）。また、このシステムによれば、ホテルの部屋毎にその部屋に宿泊する参加者のみが写った画像を再生するために、各部屋に参加者専用のテレビチャンネルを設定し、部屋毎にその部屋に宿泊する参加者が写った画像のみを見ることができるようにしている。
【０００３】
また、グループで旅行に参加した場合には、グループ内の参加者のカメラで交互に撮影を行うことが多いため、旅行から帰った後にプリント注文を行い、後日グループの参加者同士で集まって、できあがったプリントを見せ合ったりすることが行われている。またその際に、焼き増しの依頼があった場合には、焼き増しを行ってまた後日、依頼をした参加者にプリントを渡したり送付したりしている。
【特許文献１】特開２００３−２２３５０４号公報
【発明の開示】
【発明が解決しようとする課題】
【０００４】
しかしながら、旅行の後に参加者が再度集まることは非常に煩わしく、さらに焼き増しを行った場合には再度他の参加者に会ってプリントを渡したり、他の参加者にプリントを送付する必要があるため、その作業が非常に面倒なものとなっている。このため、旅行中にプリントの注文を行って他の参加者に渡すことも考えられるが、参加者がプリントの注文や焼き増しの注文等の煩わしい作業を旅行中に行うことは考えにくい。
【０００５】
また、自分が写っている画像は全くの他人にはあまり見せたくないものであるが、上記特許文献１のシステムにおいては、各部屋に宿泊する参加者のみに専用のテレビチャンネルを割り当てているのみであるため、チャンネルを変えれば他の部屋の参加者の画像を見ることができてしまう。
【０００６】
本発明は上記事情に鑑みなされたものであり、旅行等のイベントにおいて取得した画像を、イベントの参加者毎に制限して見せることができるようにすることを第１の目的とする。
【０００７】
また本発明はイベントの画像の注文を簡易に行うことができるようにすることを第２の目的とする。
【課題を解決するための手段】
【０００８】
本発明による画像再生装置は、所定のイベントにおいて取得された複数の画像を、該複数の画像のそれぞれまたは該複数の画像に含まれる画像グループのそれぞれに対して該所定のイベントの参加者毎にアクセス権を設定して記憶する画像記憶手段と、
前記所定のイベントの各参加者に対応してそれぞれ設けられた、前記画像を再生する複数の再生手段と、
前記複数の再生手段のそれぞれに対応する参加者にアクセス権のある画像のみを、該アクセス権がある参加者に対応する再生手段に再生する再生制御手段とを備えたことを特徴とするものである。
【０００９】
「所定のイベントにおいて取得された複数の画像」とは、所定のイベントの参加者または所定のイベントにおいて参加者の撮影を行ったカメラマンが、本発明による画像再生装置に再生することを所定のイベントの責任者（例えば所定のイベントが旅行の場合はツアーコンダクター）に依頼したすべての画像を意味する。具体的には、参加者が所持するデジタルカメラやビデオカメラのメモリカードから読み出すことにより取得した画像（静止画像および動画像を含む）、銀塩カメラの場合には現像により得たネガフイルムまたはプリントをスキャナ等を用いて読み取ることにより取得した画像、イベントにおいて参加者の撮影を行ったカメラマンが取得した画像等を「所定のイベントにおいて取得された複数の画像」とすることができる。
【００１０】
アクセス権の設定は、１つの画像毎、もしくは１つのフイルムから取得した複数の画像および／またはメモリカード等のメディアから取得した複数の画像を１つの画像グループとしてまとめた場合の画像グループ毎に行えばよい。なお、アクセス権の設定は、イベントの責任者が参加者毎に任意に行ってもよい。また、イベントの責任者が取得された個々の画像に写っている参加者を見て、画像に写っている参加者に対してのみその画像に対するアクセス権を設定してもよい。なお、取得した複数の画像について顔認識を行い、画像に含まれる顔の参加者に対してのみその画像に対するアクセス権を設定するようにしてもよい。
【００１１】
「再生手段」は参加者に専用のものであり、具体的には飛行機の座席に取り付けられた、その座席に着席している参加者専用のモニタを用いることができる。この場合、座席番号と参加者とを対応づけておくことによりその参加者専用のモニタにその参加者がアクセス権を有する画像を再生できる。また、参加者が宿泊するホテルの部屋のテレビを再生手段として用いることができる。この場合、部屋番号と参加者とを対応づけておくことによりその参加者の部屋のテレビにその参加者がアクセス権を有する画像を再生できる。なお、グループで旅行に参加した場合には１つの部屋に１つのグループの参加者が宿泊する場合があるが、この場合にはグループ内の参加者のすべてがアクセス権を有する画像をそのグループの参加者が宿泊する部屋のテレビに再生することができる。
【００１２】
なお、本発明による画像再生装置においては、前記再生手段を前記再生手段に再生された画像についての注文を受け付ける手段とし、該再生手段が受け付けた該注文の処理を行う注文処理手段をさらに備えるようにしてもよい。
【００１３】
「注文」とは、画像のプリント注文のみならず、ＣＤ−Ｒ等のメディアへの書き込み、アルバムの作成、画像のメール送信、カレンダーの作成等、画像に関するあらゆる注文を含む。
【００１４】
本発明による画像再生方法は、所定のイベントにおいて取得された複数の画像を、該複数の画像のそれぞれまたは該複数の画像に含まれる画像グループのそれぞれに対して該所定のイベントの参加者毎にアクセス権を設定し、
前記所定のイベントの各参加者に対応してそれぞれ設けられた、前記画像を再生する複数の再生手段のそれぞれに対応する参加者にアクセス権のある画像のみを、該アクセス権がある参加者に対応する再生手段に再生することを特徴とするものである。
【００１５】
なお、本発明による画像再生方法をコンピュータに実行させるためのプログラムとして提供してもよい。
【発明の効果】
【００１６】
本発明によれば、所定のイベントの各参加者に専用に設けられた再生手段に、その参加者がアクセス権を有する画像のみが再生される。このため、再生される画像をその参加者がアクセス権を有する画像に制限することができ、その結果、あまり他人に見せたくない画像を他の参加者に見られることを防止することができる。
【００１７】
また、再生された画像についての注文を受け付けることにより、所定のイベントの参加者は、参加者に対応づけられた画像のみから注文を行う画像を選択することができるため、注文を容易に行うことができる。
【発明を実施するための最良の形態】
【００１８】
以下、図面を参照して本発明の実施形態について説明する。図１は本発明の第１の実施形態による画像再生装置を適用した画像注文システムの構成を示す概略ブロック図である。なお、第１の実施形態による画像注文システム１は、旅行の参加者が自身が所持するカメラ（デジタルカメラ、銀塩カメラ、ビデオカメラ）を用いて旅行中に撮影を行うことにより取得した画像および旅行に同行したプロカメラマンが参加者を撮影することにより取得した画像についてのプリント出力等の注文を受け付けるものである。また、第１の実施形態による画像注文システムは、飛行機の機内に設置されているものとする。
【００１９】
図１に示すように、本発明の第１の実施形態による画像注文システム１は、フイルムに記録された画像を読み取って画像データを取得するフイルムスキャナ１０と、写真プリントを読み取って画像データを取得するスキャナ１２と、画像データを記録したメモリカードから画像データを読み出して画像データを取得するカードリーダ１４と、フイルムスキャナ１０、スキャナ１２およびカードリーダ１４が取得した複数の画像データについて、旅行の参加者毎にアクセス権を設定して記憶した大容量の記憶媒体からなる記憶部１６と、参加者のそれぞれに専用に設けられた複数の再生部１８と、後述するように各再生部１８に画像データを再生する等、第１の実施形態による画像注文システム１の動作を制御する再生制御部２０と、再生制御部２０に各種入力を行うキーボードおよびマウス等からなる入力部２２と、旅行の参加者による注文を処理する注文処理部２４とを備える。なお、フイルム、プリントおよびメモリカードは旅行の参加者が所持しているものである。
【００２０】
記憶部１６は、フイルムスキャナ１０、スキャナ１２およびカードリーダ１４が取得した画像データを記憶する。また、記憶部１６は、旅行の責任者であるツアーコンダクターが、記憶部１６に記憶した画像データに対して参加者毎にアクセス権を設定することにより生成した対応づけデータベースＤＢ１を記憶する。
【００２１】
図２は対応づけデータベースＤＢ１の例を示す図である。図２に示すように対応づけデータベースＤＢ１には、参加者の名前（Ａ〜Ｋ）、参加者が属するグループで旅行に参加している場合における参加者が属するグループ（以下ツアーグループとする、Ｉ〜ＩＶ）、飛行機の座席番号、参加者が所持するフイルム、プリントまたはメモリカード（以下これらを総称してメディアとする）のＩＤおよび各参加者に属する画像データ、すなわち各参加者のメディアから得た複数の画像データからなる画像グループに対するアクセス権が記述されている。なお、プリントのＩＤはツアーコンダクターが参加者単位で任意で設定すればよい。
【００２２】
対応づけデータベースＤＢ１は、以下のように作成される。まず、ツアーコンダクターは、対応づけデータベースＤＢ１の名前の欄に旅行の参加者の名前を入力する。なお、入力は入力部２２を用いて行う。次いで、ツアーコンダクターがツアーグループの欄にツアーグループ番号を入力する。このツアーグループは、参加者による参加申し込みを受け付けたときのグループとなる。次いで、ツアーコンダクターは帰りの飛行機の座席番号を入力する。座席番号は航空会社にあらかじめ問い合わせることにより取得することができる。
【００２３】
さらに、ツアーコンダクターは、参加者から受け取ったメディアからフイルムスキャナ１０、スキャナ１２およびカードリーダ１４を用いて画像データを取得して記憶部１６に参加者毎のフォルダを作成して記憶する。なお、参加者が所持するメディアにはメディアを特定するＩＤが付与されているため、これをツアーコンダクターが入力部２２から入力して対応づけデータベースＤＢ１のメディアＩＤの欄に入力する。そして、各参加者に属する画像データからなる画像グループに対するアクセス権をアクセス権の欄に入力することにより対応づけデータベースＤＢ１の作成を完了し、作成された対応づけデータベースＤＢ１を記憶部１６に記憶する。なお、アクセス権は、アクセスを許可する「ＯＫ」およびアクセスを許可しない「ＮＧ」が入力される。
【００２４】
このようにして作成された、図２に示す対応づけデータベースＤＢ１を参照することにより、例えばＡさん、ＢさんおよびＣさんは同一のツアーグループＩに属し、それぞれ座席番号が１〜３であり、ＡさんおよびＣさんは１つのメディアしか持っていなかったが、Ｂさんは２つのメディアを持っていたことが分かる。なお、複数のメディアは同一のメディアであってもよく、異なるメディア（例えばメモリカードとフイルム）であってもよい。また、Ａさん、ＢさんおよびＣさんは同一のツアーグループに属するため、Ａさん、ＢさんおよびＣさんのそれぞれがＡさん、ＢさんおよびＣさんに属する画像データからなる画像グループに対するアクセス権を有する。
【００２５】
なお、本実施形態においては、一人で旅行中のＦさんが旅行の途中においてＡさん、ＢさんおよびＣさんのツアーグループと知り合いになり、その旨がツアーコンダクターに知らされており、このため、Ａさん、ＢさんおよびＣさんはＦさんに属する画像データの画像グループに対してもアクセス権を有するよう、Ｆさんの画像グループのアクセス権の欄にＯＫが入力される。また、同様にＦさんは、自身の画像データに加えてＡさん、ＢさんおよびＣさんに属する画像データの画像グループに対してもアクセス権を有するよう、Ａさん、ＢさんおよびＣさんの画像グループのアクセス権の欄にＯＫが入力される。
【００２６】
また、Ａさん、Ｂさん、ＣさんおよびＦさんは、Ｄさん、Ｅさん、Ｇさん、Ｈさん、Ｉさん、ＪさんおよびＫさんに属する画像データの画像グループに対してはアクセス権を有さない。
【００２７】
また、アクセス権の「プロ」の欄が旅行参加者の全員についてＯＫとされており、これにより、旅行に同行したプロカメラマンに属する画像データの画像グループについては、旅行の参加者全員がアクセス権を有するものとなっている。
【００２８】
再生部１８は、飛行機の座席の全面にそれぞれ設置されているものである。なお、再生部１８は液晶モニタとされており、画面に触れることにより画面の案内に応じて入力を行うことができるようになっている。具体的には、画像の拡大表示、画像の選択および注文の指示を行うことができるようになっている。なお、画像に触れる代わりに、座席の肘掛け等に設置されたコントローラスイッチを用いて入力を行ってもよい。
【００２９】
再生制御部２０は、再生部１８から画像の再生指示が行われると、記憶部１６に記憶された対応づけデータベースＤＢ１を参照して、再生指示を行った座席に着席している参加者がアクセス権を有する画像グループの画像データを記憶部１６から読み出し、読み出した画像データにより表される画像のサムネイル画像の一覧を生成して再生部１８に出力する。
【００３０】
注文処理部２４は、参加者が選択した画像の種類および注文の種類を含む注文内容を表す注文情報の再生部１８からの入力を受け、注文情報により表される注文内容に応じた注文処理を行う。例えば、注文が画像のプリント出力であれば選択された画像を表す画像データをプリント出力し、注文が画像のＣＤ−Ｒへの書き込みであれば選択された画像を表す画像データをＣＤ−Ｒに書き込むことにより注文処理を行う。
【００３１】
次いで、第１の実施形態において行われる処理について説明する。図３は第１の実施形態において行われる処理を示すフローチャートである。再生部１８には図４に示すように初期画面３０が再生されており、初期画面３０における再生ボタン３０Ａに参加者が触れることにより処理が開始され、再生制御部２０が再生指示の入力を受け付ける（ステップＳ１）。
【００３２】
再生制御部２０は対応づけデータベースＤＢ１を参照して、再生指示を行った参加者が着席している座席番号から、その参加者がアクセス権を有する画像グループの画像データを記憶部１６から選択する（ステップＳ２）。そして、選択した画像データにより表される画像についてのサムネイル画像の一覧を生成し（ステップＳ３）、生成したサムネイル画像の一覧を再生部１８に再生し（ステップＳ４）、処理を終了する。
【００３３】
図５は再生部１８に再生されたサムネイル画像の一覧画面を示す図である。図５に示すようにサムネイル画像の一覧画面３２は、サムネイル画像の一覧を再生する一覧再生フィールド３２Ａと、サムネイル画像の一覧をスクロールするスクロールボタン３２Ｂ，３２Ｃと、選択した画像のプリント出力の注文を行うためのプリントボタン３２Ｄと、参加者が選択した画像を表す画像データのＣＤ−Ｒへの書き込みの注文を行うＣＤ−Ｒボタン３２Ｅと、参加者が選択した画像を拡大表示する拡大ボタン３２Ｆと、再生を終了するための終了ボタン３２Ｇとが表示される。
【００３４】
参加者は、サムネイル画像の一覧を見ながら所望とするサムネイル画像に触れることにより、注文を行う画像を選択する。また、拡大ボタン３２Ｆに触れることにより選択した１つのサムネイル画像に対応する画像データを記憶部１６から読み出して再生部１８に拡大表示することができる。そして、画像を選択した後にプリントボタン３２ＤまたはＣＤ−Ｒボタン３２Ｅに触れることにより、参加者が選択した画像の種類および注文の種類を表す注文情報を再生部１８が生成して注文処理部２４に出力する。
【００３５】
注文処理部２４は注文情報により表される注文内容に応じて注文を処理する。すなわち、注文がプリント出力であれば選択された画像を表す画像データを記憶部１６から読み出してプリント出力することによりプリントを生成し、注文がＣＤ−Ｒへの書き込みであれば選択された画像を表す画像データを記憶部１６から読み出してＣＤ−Ｒに書き込むことにより画像データが書き込まれたＣＤ−Ｒを生成する。
【００３６】
そして、ツアーコンダクターは注文処理部２４が生成したプリントあるいはＣＤ−Ｒを帰りの空港において参加者に渡すことにより、すべての注文処理が完了する。
【００３７】
このように、第１の実施形態においては、参加者がアクセス権を有する画像のみがその参加者専用の再生部１８に再生されるため、再生部１８に再生される画像をその参加者がアクセス権を有する画像に制限することができ、その結果、他人にあまり見られたくない画像を他の参加者に見られることを防止することができる。
【００３８】
また、再生された画像についての注文を受け付けることにより、参加者は自身がアクセス権を有する画像データのみから注文を行う画像データを選択することができるため、注文を容易に行うことができる。
【００３９】
なお、上記第１の実施形態においては、飛行機の座席に設けられた再生部１８にサムネイル画像の一覧を再生しているが、図６に示す本発明の第２の実施形態による画像注文システムのように、旅行の宿泊先の各部屋に設置されたテレビ２６にサムネイル画像の一覧を再生するようにしてもよい。この場合、図７に示すように座席番号を部屋番号に変更した対応づけデータベースＤＢ２を記憶部１６に記憶し、この対応づけデータベースＤＢ２を参照することにより、各部屋に宿泊している参加者がアクセス権を有する画像のみを各部屋のテレビ２６に再生することができる。なお、対応づけデータベースＤＢ２に示すように、参加者はツアーグループ毎に部屋が割り当てられているため、ツアーグループに属する参加者がアクセス権を有する画像のみがそのツアーグループの参加者が宿泊する部屋のテレビ２６に再生されることとなる。また、第２の実施形態においては、テレビ２６のリモコンを用いて画像の選択、拡大、注文の各処理を行うようにすればよい。
【００４０】
なお、上記第１および第２の実施形態においては、参加者に属する複数の画像データからなる画像グループ毎にアクセス権を設定しているが、１つの画像単位でアクセス権を設定してもよい。また、すべての参加者についての画像データにより表される画像をツアーコンダクターが１つずつ確認しながら、各画像に写っている参加者に対してのみ１つの画像単位でアクセス権を設定するようにしてもよい。また、ツアーコンダクターの負担を軽減するために、記憶部１６に記憶されたすべての画像について顔認識を行い、画像に含まれる顔の参加者に対してのみその画像を表す画像データに対するアクセス権を設定するようにしてもよい。
【００４１】
以上、本発明の第１および第２の実施形態に係るシステム１について説明したが、コンピュータを、上記の記憶部１６および再生制御部２０として機能させ、図３に示すような処理を行わせるプログラムも、本発明の実施形態の１つである。また、そのようなプログラムを記録したコンピュータ読み取り可能な記録媒体も、本発明の実施形態の１つである。これらの場合において、対応づけデータベースＤＢ１，ＤＢ２は、プログラム内あるいは同一の記録媒体内に含まれているものであってもよいし、外部の装置や別個の媒体から提供されるものであってもよい。
【図面の簡単な説明】
【００４２】
【図１】本発明の第１の実施形態による画像再生装置を適用した画像注文システムの構成を示す概略ブロック図
【図２】第１の実施形態における対応づけデータベースの例を示す図
【図３】第１の実施形態において行われる処理を示すフローチャート
【図４】再生部に再生される初期画面を示す図
【図５】再生部に再生されるサムネイル画像の一覧画面を示す図
【図６】本発明の第２の実施形態による画像再生装置を適用した画像注文システムの構成を示す概略ブロック図
【図７】第２の実施形態における対応づけデータベースの例を示す図
【符号の説明】
【００４３】
１    画像注文システム
１０  フイルムスキャナ
１２  スキャナ
１４  カードリーダ
１６  記憶部
１８  再生部
２０  再生制御部
２２  入力部
２４  注文処理部
【図１】
2005267375.tif 000003
【図２】
2005267375.tif 000004
【図３】
2005267375.tif 000005
【図４】
2005267375.tif 000006
【図５】
2005267375.tif 000007
【図６】
2005267375.tif 000008
【図７】
2005267375.tif 000009